(57)【要約】      （修正有）【課題】安全かつ容易な電気ケーブルの折り曲げ箇所の引き込み工法に適したものであるとともに、大径のケーブルをも牽引できるケーブル用盛替え工具を提供する。【解決手段】複数の各電気ケーブルＡの一端を束ねて把持する盛替え工具において、当該盛替え工具本体の一端に、前記複数の電気ケーブルＡの長手方向に伸びた牽引片４を突設し、当該牽引片４の長手方向に間隔をあけて少なくとも二つの透孔を設け、一方の透孔５は前記盛替え工具本体に近い基部に、他方の透孔６は前記盛替え工具本体から遠い先端部に設けた。【選択図】図１
0003169114.tif 000002
【実用新案登録請求の範囲】
【請求項１】
電気ケーブルの一端を把持する盛替え工具において、当該盛替え工具本体の一端に、前記電気ケーブルの長手方向に伸びた牽引片を突設し、当該牽引片の長手方向に間隔をあけて少なくとも二つの透孔を設け、一方の透孔は前記盛替え工具本体に近い基部に、他方の透孔は前記盛替え工具本体から遠い先端部に設けたことを特徴とする、ケーブル用引き込み工具。
【請求項２】
前記基部に設けた一方の透孔は、先端部に設けた他方の透孔に対して、当該牽引片の長手方向と直角な方向にずれていることを特徴とする、請求項１に記載のケーブル用盛替え工具。
【請求項３】
前記基部に設けた一方の透孔は、当該牽引片の長手方向とほぼ直角な方向に長い楕円形又はひょうたん形状としたことを特徴とする、請求項１に記載のケーブル用盛替え工具。
【請求項４】
前記盛替え工具本体は、電気ケーブルの一端をスリーブで把持し、スリーブの先端部を一個の支持板に固定し、当該支持板の一側から前記牽引片を突設し、前記支持板及びスリーブを被うカバーを設けたことを特徴とする、請求項１、２又は３のいずれかに記載のケーブル用盛替え工具。
【考案の詳細な説明】
【技術分野】
【０００１】
この考案は、ケーブルの折り曲げ箇所の牽引に適した盛替え工具に関するものである。
【背景技術】
【０００２】
従来、建造物等の中を地上箇所から電気ケーブルを高い階の箇所まで引き上げて延線する場合、図９に示すように、当該電気ケーブルＡの先端に盛替え工具Ｂを取り付け、この盛替え工具ＢにロープＣの一端を掛けて固定し、このロープＣの他端を、電気ケーブルＡを引き上げる箇所の梁や天井Ｄに吊り下げた金車Ｅに通してこのロープＣを引張り、電気ケーブルＡを地上箇所から高い階のフロアー箇所まで引き上げている。
【０００３】
この盛替え工具Ｂは、図９に示すように、細長い袋状のワイヤーネット１０１の閉じられた先端部にリング１０２を設け、後端部に開口部１０３を設け、この開口部１０３から電気ケーブルＡをワイヤーネット１０１内に挿入し、前記開口部１０３をバインド線１０４等で巻いてワイヤーネット１０１を電気ケーブルＡに固定する。そして、前記リング１０２によりこの盛替え工具Ｂを引っ張ると、ワイヤーネット１０１が長手方向に引っ張られてその外径がすぼみ、電気ケーブルＡの外周にワイヤーネット１０１が密着し、強固に電気ケーブルＡを把持し、電気ケーブルＡは引っ張られるものである。
【０００４】
しかしながら、図９において、当該ケーブル用盛替え工具Ｂで電気ケーブルＡの先端を前記金車Ｅまで引き上げた後、当該電気ケーブルＡを折り曲げて、その階の側方に引き込む、盛替えの場合、前記金車Ｅに掛けたロープＣを、一旦、金車Ｅから外し、当該階の側方に設けた他の金車Ｅ´等にロープＣを掛け替えて側方に引っ張らなければならない。そこで、前記金車ＥからロープＣを外す際、引き上げた電気ケーブルＡがずり落ちてしまう恐れがある。
【０００５】
そこで、本件実用新案登録出願人は、特許文献１に示すような、電気ケーブルの先端を、所定の金車又は係止体まで引き上げた後、当該電気ケーブルを折り曲げて、その箇所の側方に引き込む盛替えの場合、安全かつ容易に電気ケーブルを引き込むことができる、ケーブルの折り曲げ箇所の盛替え工法及び当該工法に使用する盛替え工具を開発した。
【特許文献１】特開２０１１−６１８７９号公報
【考案の開示】
【考案が解決しようとする課題】
【０００６】
しかしながら、上記特許文献１の盛替え工具は、袋状のワイヤーネットで電気ケーブルを把持する構造のため、比較的細い径のケーブルの引き上げに使用することは可能であるが、大径の電気ケーブルの場合、その多くが複数のケーブルを束ねたより線になっているため、把持力を十分に得ることが出来なく、牽引又は引き込むことはできない。
【０００７】
この考案は、このような従来技術を考慮したものであって、電気ケーブルの先端を、所定の金車又は係止体まで引き上げた後、当該電気ケーブルを折り曲げて、その箇所の側方に引き込む盛替え工法において、安全かつ容易に電気ケーブルを引き込むことができるとともに、大径のケーブルにも使用できるケーブル用盛替え工具を提供することを目的としたものである。
【課題を解決するための手段】
【０００８】
請求項１の考案は、電気ケーブルの一端を把持する盛替え工具において、当該盛替え工具本体の一端に、前記電気ケーブルの長手方向に伸びた牽引片を突設し、当該牽引片の長手方向に間隔をあけて少なくとも二つの透孔を設け、一方の透孔は前記盛替え工具本体に近い基部に、他方の透孔は前記盛替え工具本体から遠い先端部に設けた、ケーブル用盛替え工具とした。
【０００９】
また、請求項２の考案は、請求項１の考案において、前記基部に設けた一方の透孔は、先端部に設けた他方の透孔に対して、当該牽引片の長手方向と直角な方向にずれている、ケーブル用盛替え工具とした。
【００１０】
また、請求項３の考案は、前記請求項１の考案において、前記基部に設けた一方の透孔は、当該牽引片の長手方向とほぼ直角な方向に長い楕円形又はひょうたん形状である、ケーブル用盛替え工具とした。
【００１１】
また、請求項４の考案は、請求項１、２及び３のいずれかの考案において、前記盛替え工具本体は、電気ケーブルの一端をスリーブで把持し、当該スリーブの先端部を一個の支持板に固定し、当該支持板の一側から前記牽引片を突設し、前記支持板及びスリーブを被うカバーを設けた、ケーブル用盛替え工具とした。
【考案の効果】
【００１２】
請求項１及び４の考案は、ケーブルの折曲げ箇所の盛替え工法に用いれば、盛替え工具本体の先端に設けた牽引片の先端部の透孔に一端を係止した主ロープの他端が掛けられた第１金車又は係止体に盛替え工具の先端が近接した際、牽引片の基部の透孔に補助ロープの一端を係止し、第１金車又は係止体に近接して設けた第２金車又は係止体に前記補助ロープの他端を掛けてこれを保持し、この状態で前記先端部の透孔に接続した主ロープを前記第１金車又は係止体から外すため、電気ケーブルは確実に補助ロープで保持され、下方にずれ落ちることがない。従って、ケーブルの折り曲げ箇所の盛替え作業を迅速かつ安全に行うことができる。さらに、この考案では、盛替え工具本体の先端に牽引片を突設したものであるため、大径の電気ケーブルの牽引にも使用できるものである。
【００１３】
また、請求項２の考案によれば、前記牽引片の基部に設けた一方の透孔は、先端部に設けた他方の透孔に対して、当該牽引片の長手方向と直角な方向にずれているため、前記ケーブルの折曲げ箇所の盛替え工法において、二つの各透孔に主ロープ及び補助ロープを係止した際、これらのロープがずれて引っ張られるため、相互に他のロープが邪魔にならない。
【００１４】
また、請求項３の考案によれば、前記基部に設けた一方の透孔は、当該牽引片の長手方向に対してほぼ直角な方向に長い楕円形又はひょうたん形状であるため、当該楕円形又はひょうたん形状の透孔のどちらか一方の端部にずらして補助ロープを係止すれば、主ロープを左右どちらの方向に牽引する場合でも、補助ロープが邪魔にならない。
【考案を実施するための最良の形態】
【００１５】
この考案は、複数の各電気ケーブルの一端を束ねて把持する盛替え工具において、当該盛替え工具本体の一端に、前記複数の電気ケーブルの長手方向に伸びた牽引片を突設し、当該牽引片の長手方向に間隔をあけて少なくとも二つの透孔を設けた、ケーブル用盛替え工具とした。
【００１６】
この考案の盛替え工具を電気ケーブルの折曲げ箇所の盛替え工法に用いれば、牽引片の先端部の透孔に主ロープを、基部の透孔に補助ロープを係止して、これらの主ロープ及び補助ロープを支持物に係止し、主ロープの支持物に対する係止を解いて、電気ケーブルを横方向に引っ張り、その後補助ロープの支持物に対する支持を解いて、さらに電気ケーブルを横方向に引き込むことができ、この様な垂直延線から横方向への盛替え工法の際、引き込む電気ケーブルが下方にずれ落ちることがない。
【実施例１】
【００１７】
以下、この考案の実施例１を図に基づいて説明する。図１はこの考案の盛替え工具Ｂの正面図、図２は同工具Ｂの平面図である。
【００１８】
この盛替え工具Ｂは、複数の各電気ケーブルＡの一端をスリーブ１で圧縮、把持し、各スリーブ１の先端部を一個の円形な支持板２の各孔２ａに一側から通して、他側でナット３を螺着して支持板２に固定している。また、当該支持板２の他側から牽引片４を突設し、当該牽引片４の長手方向に間隔をあけて二つの透孔５、６を穿っている。これらのうち透孔５は牽引片４の基部に、透孔６は牽引片４の先端部に夫々設けられている。また、当該牽引片４の断面と略同じ形状、大きさの窓７ａを頂部に有する略椀状のカバー７が、前記窓７ａに前記牽引片４を通して支持板２、スリーブ１及び電気ケーブルＡの端部を被っているものである。また、前記各電気ケーブルＡの端部とスリーブ１の外周は防水層８に被われている。
【００１９】
この盛替え工具Ｂを使って、垂直に延線された電気ケーブルＡの先端を折り曲げて盛替えする工法を、図３〜図６に基づいて説明する。
【００２０】
まず、前記盛替え工具Ｂには、上述のように複数の電気ケーブルＡの一端が固定されている。そして、図３に示すように、前記牽引片４の先端部の透孔６にスイーベル９を介して主ロープ１０の一端を係止して主ロープ１０の他端を、天井１１に吊り下げた第１金車１２に通して、前記主ロープ１０の他端をウインチ（図示省略）で引っ張り、電気ケーブルＡをラダー１３に沿って引き上げる。
【００２１】
そして、主ロープ１０が掛けられた金車１２に前記盛替え工具Ｂの先端が近接した際、前記牽引片４の透孔５に補助ロープ１４の一端を係止し、図４に示すように、前記第１金車１２に近接して設けた第２金車１５に前記補助ロープ１４を掛けてこの補助ロープ１４をウインチ（図示省略）で引っ張り、盛替え工具Ｂを引き上げる。この状態で、さらに盛替え工具Ｂを引き上げて、図５に示すように、透孔６にスイーベル９を介して係止した主ロープ１０を前記第１金車１２から外し、当該主ロープ１０のスイーベル９への係止を解く。そして、前記透孔６にスイーベル９を介して横引き用ロープ１９を取り付けて、その脇のケーブルラック１６の他端方向に横引き用ロープ１９を引っ張る。
【００２２】
そして、前記第２金車１５から補助ロープ１４を外して、前記横引き用ロープ１９を引っ張って電気ケーブルＡを曲げて当該ケーブルラック１６に引き入れ、図６に示すように、電気ケーブルＡの曲げ箇所に、ケーブルガイド１７を設置し、電気ケーブルＡを直接牽引装置１８でけん引して、電気ケーブルＡをケーブルラック１６の所定箇所まで延線する。
【００２３】
前記実施例では、盛替え工具Ｂの牽引片４の先端部の透孔６にスイーベル９の一端を取付け、当該スイーベル９の他端に主ロープ１０の一端を係止しているため、前記工法において、図４に示すように補助ロープ１４で盛替え工具Ｂを支持した後、主ロープ１０を緩めた際、主ロープ１０の捩れが当該スイーベル９の回転で取れ、その後の主ロープ１０の操作が容易になる。ただし、このスイーベル９は使用しない場合もある。
【００２４】
なお、前記実施例では、天井１１に金車１２、１５を設けたが、これらの金車に代えて、アイボルト等のロープを折り返して係止する適宜の係止体を用いることができる。
【００２５】
図７は前記盛替え工具Ｂの他の例を示し、前記牽引片４に設けた二つの透孔５、６の内、基部に設けた透孔５は、先端部に設けた透孔６に対して、当該牽引片４の長手方向と直角な方向にずれている。これにより、前記電気ケーブルの折曲げ箇所の盛替え工法において、二つの各透孔５、６に主ロープ１０及び補助ロープ１４を係止した際、これらのロープがずれて引っ張られるため、相互に他のロープが邪魔にならない効果を有する。従って、主ロープ１０を先端部の透孔６に掛けて図７において右側方に引っ張るときは、透孔５は実線で示す位置に、主ロープ１０を左側方に引っ張るときは当該透孔５は点線で示す位置に設けるとよい。
【００２６】
また、図８は盛替え工具Ｂのさらに他の例を示し、前記牽引片４に設けた二つの透孔５、６の内、前記基部に設けた一方の透孔５は、当該牽引片の長手方向に対してほぼ直角な方向に長い楕円形又はひょうたん形状にしている。これにより、補助ロープ１４を当該透孔５の左右両端のどちらへも係止することができ、主ロープ１０の牽引の際、補助ロープ１４が邪魔にならない。
【００２７】
また、上記実施例では牽引片４には二つの透孔５、６を設けているが、透孔は２個に限らず、多数個設けても良い。また、当該盛替え工具で把持する電気ケーブルは、上記実施例では複数の電気ケーブルとしたが、単数の電気ケーブルの場合もある。また、この考案の盛替え工具Ｂは、前記ケーブルの折曲げ箇所の盛替えに限らず、種々の用途に使用できる。
【図面の簡単な説明】
【００２８】
【図１】この考案の実施例１の盛替え工具の正面図である。
【図２】この考案の実施例１の盛替え工具の平面図である。
【図３】この考案の実施例１の工具を用いた工法の第１ステップを示す概略構成図である。
【図４】この考案の実施例１の工具を用いた工法の第２ステップを示す概略構成図である。
【図５】この考案の実施例１の工具を用いた工法の第３ステップを示す概略構成図である。
【図６】この考案の実施例１の工具を用いた工法の第４ステップを示す概略構成図である。
【図７】この考案に使用する盛替え工具の他の例を示す正面図である。
【図８】この考案に使用する盛替え工具のさらに他の例を示す正面図である。
【図９】従来のケーブルの折曲げ箇所の引き込み工法を示す正面図である。
【符号の説明】
【００２９】
１      スリーブ                    ２      支持板
２ａ    孔                          ３      ナット
４      牽引片                      ５      透孔
６      透孔                        ７      カバー
７ａ    窓                          ８      防水層
９      スイーベル                  １０    主ロープ
１１    天井                        １２    第１金車
１３    ラダー                      １４    補助ロープ
１５    第２金車                    １６    ケーブルラック
１７    ケーブルガイド              １８    牽引装置
１９    横引き用ロープ
【図１】
0003169114.tif 000003
【図２】
0003169114.tif 000004
【図３】
0003169114.tif 000005
【図４】
0003169114.tif 000006
【図５】
0003169114.tif 000007
【図６】
0003169114.tif 000008
【図７】
0003169114.tif 000009
【図８】
0003169114.tif 000010
【図９】
0003169114.tif 000011
【手続補正書】
【提出日】平成23年5月11日(2011.5.11)
【手続補正１】
【補正対象書類名】実用新案登録請求の範囲
【補正対象項目名】請求項１
【補正方法】変更
【補正の内容】
【請求項１】
電気ケーブルの一端を把持する盛替え工具において、当該盛替え工具本体の一端に、前記電気ケーブルの長手方向に伸びた牽引片を突設し、当該牽引片の長手方向に間隔をあけて少なくとも二つの透孔を設け、一方の透孔は前記盛替え工具本体に近い基部に、他方の透孔は前記盛替え工具本体から遠い先端部に設けたことを特徴とする、ケーブル用盛替え工具。